【手続補正書】
【提出日】平成19年5月16日(2007.5.16)
【手続補正１】
【補正対象書類名】明細書
【補正対象項目名】特許請求の範囲
【補正方法】変更
【補正の内容】
【特許請求の範囲】
【請求項１】  電子写真感光体ドラムと、前記電子写真感光体ドラムに作用するプロセス手段と、画像形成装置本体と電気的に接続するために画像形成装置本体側接続手段と接離可能な接続手段と、を有し、画像形成装置本体に着脱可能なプロセスカートリッジにおいて、
プロセスカートリッジの接続手段は画像形成装置本体に装着する方向手前側で前記電子写真感光体ドラムよりも高い位置に設けられていることを特徴とするプロセスカートリッジ。
【請求項２】  前記プロセスカートリッジとは、少なくとも現像手段と電子写真感光体とを一体的にカートリッジ化して装置本体に着脱可能とするものである請求項１に記載のプロセスカートリッジ。
【請求項３】  前記帯電手段は接触帯電手段である請求項１又は２に記載のプロセスカートリッジ。
【請求項４】  電子写真感光体ドラムと、前記電子写真感光体ドラムに作用するプロセス手段と、を備え、画像形成装置本体に着脱可能であるプロセスカートリッジと、前記プロセスカートリッジを画像形成装置本体の手前側から前記電子写真感光体ドラムに平行に前後方向に挿抜して取り外し可能に装着する装着手段と、記録媒体を搬送するための搬送手段と、を有し、記録媒体に画像を形成する画像形成装置において、
画像形成装置本体に装着する方向手前側で前記電子写真感光体ドラムよりも高い位置に設けられ画像形成装置本体の接続手段と接離可能な画像形成装置本体と電気的に接続するための接続手段を有することを特徴とする電子写真画像形成装置。
【請求項５】  前記電子写真感光体ドラムを露光する固体発光素子列を有する請求項４に記載の電子写真画像形成装置。
【請求項６】  前記プロセスカートリッジに供給する現像トナーのトナー貯蔵手段を有する請求項４に記載の電子写真画像形成装置。
【請求項７】  前記プロセスカートリッジが記録媒体搬送方向に複数配設されていることを特徴とする請求項４に記載の電子写真画像形成装置。
【請求項８】  前記接続手段はドロワコネクタであることを特徴とする請求項４に記載の電子写真画像形成装置。
【請求項９】  前記装着手段はプロセスカートリッジを着脱可能に支持して画像形成装置本体に前後方向に挿抜可能な支持枠体であることを特徴とする請求項４に記載の電子写真画像形成装置。
【請求項１０】  プロセスカートリッジは記憶手段を有し、前記記憶手段はプロセスカートリッジの接続手段に装着されていることを特徴とする請求項４に記載の電子写真画像形成装置。
【手続補正２】
【補正対象書類名】明細書
【補正対象項目名】０００９
【補正方法】変更
【補正の内容】
【０００９】
【発明が解決しようとする課題】
本発明者は上述の課題を解決するために前記接続手段の配置について以下のように考察した。上記構成において、プロセスカートリッジを装置本体前方から挿入する際に、挿入過程でのプロセスカートリッジ側及び装置本体側の双方のコネクタの位置ずれを吸収出来るドロワコネクタが広く採用されているが、同コネクタはガイドピン等を有するため、接続できる接点数の割にはコネクタの外形が大きい。また、コネクタの着脱方向は必然的にプロセスカートリッジの挿入方向と一致している必要がある。
【手続補正３】
【補正対象書類名】明細書
【補正対象項目名】００１０
【補正方法】変更
【補正の内容】
【００１０】
ところが、上記コネクタを配設する場所を、例えば、
１）プロセスカートリッジ奥側の感光体ドラムより上部
とした場合、プロセスカートリッジを装置本体から引き出す場合において、同コネクタは感光体ドラム上部を移動する軌跡をとるから、装置本体にプロセスカートリッジが挿入された状態において、感光体ドラム直上部に装置本体に支持された部品を配置出来ない。即ち、固体発光素子列を用いた装置では、構成出来ないという欠点があった。
２）プロセスカートリッジ奥側の感光体ドラム付近
とした場合、感光体ドラム自体の駆動或は現像や帯電の駆動手段と干渉するため、これも実質的に構成出来ない。
３）プロセスカートリッジ奥側の感光体ドラムより下部
とした場合、プロセスカートリッジを装置本体から引き出す場合において、同コネクタは感光体ドラム下部を移動する軌跡をとるから、通常画像形成部直下に配されている転写手段と干渉する。プロセスカートリッジを引き出す際に、転写部も引き出せば、構成として成り立つが、一方、転写部は紙詰まり処理のため、画像形成部とは別に装置本体から単独で引き出し可能に構成する必要があり、構造が複雑になる欠点がある。
４）プロセスカートリッジ前側の感光体ドラム付近
とした場合、装置本体側のコネクタを引き出される画像形成プロセスカートリッジの前側に配する必要があるから成立しない。
５）プロセスカートリッジ前側の感光体ドラムより下部
とした場合、装置本体側のコネクタを引き出される転写部の前側に配する必要があり、紙詰まり処理のために転写部を単独で装置本体から引き出すことが出来なくなる。
【手続補正４】
【補正対象書類名】明細書
【補正対象項目名】００１１
【補正方法】変更
【補正の内容】
【００１１】
本発明は画像形成装置本体手前側からプロセスカートリッジを挿抜する場合において、プロセスカートリッジの回りに配設されるプロセスカートリッジの給電、駆動手段の配設に影響が少なく、且つ紙詰まり処理を阻害しない好適プロセスカートリッジと画像形成装置本体との電気的接続手段を有する電子写真画像形成装置とプロセスカートリッジを提供することを目的とする。
【手続補正５】
【補正対象書類名】明細書
【補正対象項目名】００１２
【補正方法】変更
【補正の内容】
【００１２】
【課題を解決するための手段】
そこで本発明は、電子写真感光体ドラムと、前記電子写真感光体ドラムに作用するプロセス手段と、画像形成装置本体と電気的に接続するために画像形成装置本体側接続手段と接離可能な接続手段と、を有し、画像形成装置本体に着脱可能なプロセスカートリッジにおいて、プロセスカートリッジの接続手段は画像形成装置本体に装着する方向手前側で前記電子写真感光体ドラムよりも高い位置に設けられている。
【手続補正６】
【補正対象書類名】明細書
【補正対象項目名】００１３
【補正方法】変更
【補正の内容】
【００１３】
また、本発明は、電子写真感光体ドラムと、前記電子写真感光体ドラムに作用するプロセス手段と、を備え、画像形成装置本体に着脱可能であるプロセスカートリッジと、前記プロセスカートリッジを画像形成装置本体の手前側から前記電子写真感光体ドラムに平行に前後方向に挿抜して取り外し可能に装着する装着手段と、記録媒体を搬送するための搬送手段と、を有し、記録媒体に画像を形成する画像形成装置において、画像形成装置本体に装着する方向手前側で前記電子写真感光体ドラムよりも高い位置に設けられ画像形成装置本体の接続手段と接離可能な画像形成装置本体と電気的に接続するための接続手段を有することを特徴とする。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】